(57)【要約】【課題】  睡眠促進用ベッドであって、ベッド床上の仰臥する使用者は、その頭部に、振動、揺動を殆ど波及させることなく、その脚部に振動刺激を与えると共にその身体に、頭部を上下方向に通過する揺動中心軸線まわりの左右方向の揺動を与えて睡眠を促す。【解決手段】  使用者Ｍの臥するベッド床Ｂは、その頭部Ｈを上下方向に通過する揺動中心軸線Ｌ１−Ｌ１まわりに左右に揺動される床フレーム１１を備え、この床フレーム１１上には、その揺動中心軸線Ｌ１−Ｌ１に近い側と、それより遠ざかる側とに前後に分かれて前側受部ＳＦと後側受部ＳＲとを設け、後側受部ＳＲには、これを単独で振動させる振動発生手段Ｖａを設け、前側受部ＳＦは、使用者Ｍの頭部Ｈおよび胴部Ｔを支え、また前記後側支持部ＳＲは使用者Ｍの脚部Ｌｅを支える。【選択図】    図１
2007037832.tif 000002
【特許請求の範囲】
【請求項１】
ベッド床上に臥する使用者の睡眠を促進する睡眠促進用ベッドであって、
前記ベッド床は、床フレームを備え、
この床フレームには使用者の頭部および胴部を支える前側受部と、使用者の脚部を支える後側受部とが分けて設けられ、前側受部は床フレーム上に支持される弾褥体を有して床フレームの振動が弾褥体により緩衝吸収されるようにされており、また後側受部は床フレーム上に緩衝材を介して支持される振動部材を有し、その振動部材には、これに振動を付与する振動発生手段が設けられ、この振動発生手段の振動は後側受部には伝わるが、前側受部へは伝わりにくいようにされていることを特徴とする、睡眠促進用ベッド。
【請求項２】
ベッド床上に臥する使用者の睡眠を促進する睡眠促進用ベッドであって、
前記ベッド床は、
使用者の頭部を上下方向に通過する揺動中心軸線まわりに左右に揺動可能な床フレームと、前記床フレームを揺動駆動する揺動駆動手段と、前記床フレーム上に、その揺動中心軸線に近い側と、それより遠ざかる側とに前後に分けて設けられる前側受部および後側受部と、前記後側受部に振動を付与する振動発生手段とを備え、
前記前側受部は、使用者の頭部および胴部を支え、また前記後側支持部は使用者の脚部を支えるようにされており、前記振動発生手段からの振動が、使用者の頭部へ伝わりにくいようにされていること特徴とする、睡眠促進用ベッド。
【請求項３】
ベッド床上に臥する使用者の睡眠を促進する睡眠促進用ベッドであって、
支持フレームを有し、前記ベッド床が前記支持フレームに揺動可能に支持され、該ベッド床を揺動駆動する揺動駆動手段を備えており、
前記ベッド床は、該ベッド床に仰臥する使用者の頭部を上下方向に通過する揺動中心軸線まわりに左右方向に揺動可能であり、かつ使用者の頭部よりも下方に存する揺動中心点まわりに上下方向に傾動可能であって、前記ベッド床上の使用者の脚部を受けるベッド床の後部は、該ベッド床の前後方向の中心軸線上に存する谷から左右方向外側に向かってそれぞれ上り勾配に傾斜する左右案内レールに案内されて、該ベッド床の左右の両端が反対方向へ緩やかな昇降運動を伴いながら左右方向に揺動するようにされており、前記揺動駆動手段による前記ベッド床の前記昇降運動を伴いながらの左右方向の揺動と、前記振動発生手段による前記ベッド床の後側受部の振動との協働により、前記ベッド床上に臥する使用者の睡眠が促進されることを特徴とする、前記請求項２記載の睡眠促進用ベッド。
【請求項４】
前記ベッド床の上面の、該ベッド床上に仰臥する使用者の左右方向が、水平状態であることを検出する水平位置検出手段および該水平位置検出手段の検出信号をうけて、前記ベッド床を前記水平状態に固定する水平位置固定手段とが設けられ、ベッド床の揺動稼働停止後、ベッド床の上面は前記水平状態に固定されることを特徴とする、前記請求項２または３記載の睡眠促進用ベッド。
【請求項５】
前記ベッド床は、その上面が、そこに仰臥する使用者の身長方向が水平になる状態と、使用者の頭部側から脚部側へ下向きに傾斜する状態とをとり得るようにされていることを特徴とする、前記請求項１、２，３または４記載の睡眠促進用ベッド。
【請求項６】
前記振動発生手段が発生する振動の振動周波数と該振動発生手段の振動稼働時間とを任意にコントロールできるようにした、リモコンスイッチを備えていることを特徴とする、請求項１，２，３，４または５記載の睡眠促進用ベッド。
【請求項７】
前記ベッド床の揺動速度、揺動稼働時間を任意に調整コントロールできるようにした、リモコンスイッチとを備えていることを特徴とする、前記請求項２，３，４，５または６記載の睡眠促進用ベッド。
【請求項８】
前記ベッド床上に仰臥する使用者の頭部近くに、芳香発生手段、音楽発生手段および暗示トーク発生手段を備えていることを特徴とする、前記請求項１，２，３，４，５，６または７記載の睡眠促進用ベッド。
【請求項９】
目覚まし時刻を設定する目覚まし時刻設定手段を備え、前記目覚まし時刻設定手段で設定された目覚まし時刻に応じて、前記ベッド床を揺動させ、または振動を発生させて使用者を睡眠から目覚めさせるための目覚まし動作を行い、前記目覚まし動作時の前記ベッド床の揺動速度または振動の周波数は、前記睡眠促進動作時よりも増加されることを特徴とする、前記請求項１，２，３，４，５，６，７または８記載の睡眠促進用ベッド。
【請求項１０】
使用者を睡眠から目覚めさせるための目覚まし音を発生させる目覚まし音発生手段を備え、前記設定された目覚まし時刻に応じて、前記目覚まし音発生手段を稼働させて目覚まし音を発生させることを特徴とする、前記請求項１，２，３，４，５，６，７，８または９記載の睡眠促進用ベッド。
【請求項１１】
ベッド床上の使用者の脚部を温める足温手段により、使用者の脚部を温めて該脚部の血流を盛んにすることを特徴とする、前記請求項１，２，３，４，５，６，７，８，９または１０記載の睡眠促進用ベッド。
【発明の詳細な説明】
【技術分野】
【０００１】
本発明は、睡眠促進用ベッドに関するものである。
【背景技術】
【０００２】
１９９０年以降、政治的には、テロ、地政学的なリスクの高まりなどの政情不安、社会的には、残酷な犯罪の多発などの社会環境の悪化、また、経済的には、デフレ、リストラ、不況などの経済不安、さらに、職場や家庭内での人間関係の悪化などの諸原因により、ストレスの高まりから、睡眠不足、不眠症を訴える者、特に中高年齢者が増大しつつある。
【０００３】
このような睡眠不足や不眠症の解消方法として、飲酒をしたり、睡眠薬を使用したりしているものも見受けられるが、これらはいずれも習慣性があり、飲酒量、睡眠薬の使用量が次第に多くなる傾向があって、健康を害する原因となっている。
【０００４】
そこで、従来、睡眠を促進する装置として、後記特許文献１〜５に記載されたものが、またストレスを解消する装置として後記特許文献６に記載されたものが、さらに人体に振動を与えて疲労を除去し、睡眠を誘導する装置として、後記特許文献７〜９に記載されたものもが知られている。
【特許文献１】実公平５−６９９９号公報
【特許文献２】特開２００２−１７５１６号公報
【特許文献３】実開昭４９−２７８０４号マイクロフィルム
【特許文献４】実開昭５２−１０９９０４号マイクロフィルム
【特許文献５】特開２００１−１８７１４７号公報
【特許文献６】特開平８−８９５７９号公報
【特許文献７】特公平６−６１３６３号公報
【特許文献８】特開昭６２−８７１６４号公報
【特許文献９】実公平１−９５８４号公報
【０００５】
特許文献１には、人が仰臥するプレート（水平ベッド）を、複数のカムにて、上下或いは左右に揺動し、振動効果を出しつつ、車内騒音や音楽を流して睡眠効果が得られるようにしたものが開示され、
特許文献２には、ブランコ式ベッドであって、ベッド床を、吊棒に吊るしたアームによりブランコ状に揺動できるようにしたものが開示され、
特許文献３には、マット台を前後に揺動させる共に、交互に昇降させるようにしたベッドが開示され、
特許文献４には、モータで偏心カムを回転させてベッドを揺らすようにした揺動機のついた自動揺すりベッドが開示され、
特許文献５には、音響と芳香の作用を統合した安眠装置が開示され、
また、特許文献６には、芳香と音楽と足温の相乗効果で、心の緊張を和らげるようにしたリラクセーション装置が開示されている。
【０００６】
さらに、特許文献７には、ベッド上に加振器を備え、使用者の脚部分を振動させるようにしたものが開示され、
特許文献８には、ベッドに誘眠用脚部振動装置を配して生体の脚部に刺激を与えるようにしたものが開示され、
特許文献９には、シート部材に、複数の振動部材を位置調節自在かつ着脱自在に固定させ、各個体の所望する部位に振動部材を当てがうことができるようにしたものが開示されている。
【発明の開示】
【発明が解決しようとする課題】
【０００７】
ところが、前記特許文献１〜９の何れにも、ベッド上に臥する使用者に及ぶ振動が、使用者の頭部に波及するのを積極的に抑制して使用者の睡眠を促進しようとする技術的手段が開示されていない。また使用者の頭部の上下揺動を極力抑えながら、身体には睡眠に必要な心地よい揺動をを与えて睡眠を促進しようとする技術的手段が開示されていない。
【０００８】
ところで、人体に振動を与えて抹消神経を刺激することが、血行を促進するのに有効であること、またその振動の振動波の強弱を調整することが、疲労を除去したり、誘眠効果を高めたりするのに有効であるとされているが、誘眠を目的として人体に振動を与える場合において、知覚神経の集中する頭部への振動の付与は、脳中の生体機能を振動波で攪乱する原因となり、使用者に誘眠よりもむしろ不快感．悪夢などの悪影響を及ぼすことが本出願の発明者らの研究の結果明らかになった。
【０００９】
また、一般に、人間は左右の揺れや揺動には、割合に鈍感であり、むしろ心地良く感じることがある反面、上下の振動、上下の揺動、昇降には敏感に反応して不快感、不安感を感じるものであり、たとえば、人が就寝時にマグニチュード３〜４の地震を経験したときに、左右の揺れには比較的鈍感であるのに対して上下の揺れには敏感に反応して起き上がったことは誰もが経験しているところであり、また、就寝時、立起時を問わずに、人は上下の振動、揺動、昇降に対して敏感に反応して、たとえば、エレベータの急速下降、航空機の急降下、航海時の船揺れなどには不快感、不安感を感じることは誰もが経験している。
【００１０】
そこで、本出願の発明者らが研究、研鑽を重ねた結果、ベッド上においても、ベッド上に臥する人の頭部の上下振動、上下揺動、昇降は、睡眠の促進には良い結果とはならず、むしろ睡眠の妨げになることをつきとめた。
【００１１】
しかしながら、前記特許文献１〜９のものは、いずれも「人間の大切な頭部の振動、上下揺動を極力抑える」という睡眠の最も重要な基本的な要件を欠如しており、睡眠促進用として満足のいくものではなかった。
【００１２】
本発明は、かかる点に鑑みてなされたものであり、使用者の大切な頭部への振動の波及または頭部の上下揺動を極力抑えながら、頭部以外の身体、特に脚部に適度な振動または揺動を与えて誘眠効果が速やかに得られるようにした、新規な睡眠促進用ベッドを提供することを目的とするものである。
【００１３】
また、本発明は身体に適した前記振動、揺動に、芳香、音楽、暗示トーク、足温手段を組み合わせたことによる「相乗効果」で、睡眠の促進効果をより高めるようにした、新規な睡眠促進用ベッドを提供することを他の目的とするものである。
【課題を解決するための手段】
【００１４】
上記目的を達成するために、請求項１記載の本発明は、ベッド床上に臥する使用者の睡眠を促進する睡眠促進用ベッドであって、前記ベッド床は、床フレームを備え、
この床フレームには、使用者の頭部および胴部を支える前側受部と、使用者の脚部を支える後側受部とが分けて設けられ、前側受部は床フレーム上に支持される弾褥体を有して床フレームの振動が弾褥体により緩衝吸収されるようにされており、また後側受部は床フレーム上に緩衝材を介して支持される振動部材を有し、その振動部材には、これに振動を付与する振動発生手段が設けられ、この振動発生手段の振動は後側受部には伝わるが、前側受部へは伝わりにくいようにされていることを特徴としている。
【００１５】
前記・・・「前側受部と、・・・・後側受部とが分けて設けられ、」・・・とは、
「前側受部と後側受部とが間隙をあけて設けられる」の外、「前側受部と後側受部とが擦り動くように接触して設けられる」を含むものとする。
上記目的を達成するために、請求項２記載の本発明は、ベッド床上に臥する使用者の睡眠を促進する睡眠促進用ベッドであって、
前記ベッド床は、使用者の頭部を上下方向に通過する揺動中心軸線まわりに左右に揺動可能な床フレームと、前記床フレームを揺動駆動する揺動駆動手段と、前記床フレーム上に、その揺動中心軸線に近い側と、それより遠ざかる側とに前後に分けて設けられる前側受部および後側受部と、前記後側受部に振動を付与する振動発生手段とを備え、  前記前側受部は、使用者の頭部および胴部を支え、また前記後側支持部は使用者の脚部を支えるようにされており、前記振動発生手段からの振動が、使用者の頭部へ伝わりにくいようにされていること特徴としている。
【００１６】
前記・・・「前後に分けて設けられる前側受部および後側受部と、」・・・とは、
「前後に間隙をあけて設けられる前側受部と後側受部」の外、「擦り動くように接触して前後に設けられる前側受部と後側受部」を含むものとする。
【００１７】
上記目的を達成するために、請求項３記載の本発明は、前記請求項２記載のものにおいて、ベッド床上に臥する使用者の睡眠を促進する睡眠促進用ベッドであって、
支持フレームを有し、前記ベッド床が前記支持フレームに揺動可能に支持され、該ベッド床を揺動駆動する揺動駆動手段を備えており、
前記ベッド床は、該ベッド床に仰臥する使用者の頭部を上下方向に通過する揺動中心軸線まわりに左右方向に揺動可能であり、かつ使用者の頭部よりも下方に存する揺動中心点まわりに上下方向に傾動可能であって、前記ベッド床上の使用者の脚部を受けるベッド床の後部は、該ベッド床の前後方向の中心軸線上に存する谷から左右方向外側に向かってそれぞれ上り勾配に傾斜する左右案内レールに案内されて、該ベッド床の左右の両端が反対方向へ緩やかな昇降運動を伴いながら左右方向に揺動するようにされており、前記揺動駆動手段による前記ベッド床の前記昇降運動を伴いながらの左右方向の揺動と、前記振動発生手段による前記ベッド床の後側受部の振動との協働により、前記ベッド床上に臥する使用者の睡眠が促進されることを特徴としている。
【００１８】
上記目的を達成するために、請求項４記載の本発明は、前記請求項２または３記載のものにおいて、前記ベッド床の上面の、該ベッド床上に仰臥する使用者の左右方向が、水平状態であることを検出する水平位置検出手段および該水平位置検出手段の検出信号をうけて、前記ベッド床を前記水平状態に固定する水平位置固定手段とが設けられ、ベッド床の揺動稼働停止後、ベッド床の上面は前記水平状態に固定されることを特徴としている。
【００１９】
上記目的を達成するために、請求項５記載の本発明は、前記請求項１，２，３または４記載のものにおいて、前記ベッド床は、その上面が、そこに仰臥する使用者の身長方向が水平になる状態と、使用者の頭部側から脚部側へ下向きに傾斜する状態とをとり得るようにされていることを特徴としている。
【００２０】
上記目的を達成するために、請求項６記載の本発明は、前記請求項１，２，３，４または５記載のものにおいて、前記振動発生手段が発生する振動の振動周波数と該振動発生手段の振動稼働時間とを任意にコントロールできるようにした、リモコンスイッチを備えていることを特徴としている。
【００２１】
上記目的を達成するために、請求項７記載の本発明は、前記請求項２，３，４，５または６記載のものにおいて、前記ベッド床の揺動速度、揺動稼働時間を任意に調整コントロールできるようにした、リモコンスイッチとを備えていることを特徴としている。
【００２２】
上記目的を達成するために、請求項８記載の本発明は、前記請求項１，２，３，４，５，６または７記載のものにおいて、前記ベッド床上に仰臥する使用者の頭部近くに芳香発生手段、音楽発生手段および暗示トーク発生手段を備えていることを特徴としている。
【００２３】
上記目的を達成するために、請求項９記載の本発明は、前記請求項１，２，３，４，５，６，７または８記載のものにおいて、目覚まし時刻を設定する目覚まし時刻設定手段を備え、前記目覚まし時刻設定手段で設定された目覚まし時刻に応じて、前記ベッド床を揺動させ、または振動を発生させて使用者を睡眠から目覚めさせるための目覚まし動作を行い、前記目覚まし動作時の前記ベッド床の揺動速度または振動の周波数は、前記睡眠促進動作時よりも増加されることを特徴としている。
【００２４】
上記目的を達成するために、請求項１０記載の本発明は、前記請求項１，２，３，４，５，６，７，８または９記載のものにおいて、使用者を睡眠から目覚めさせるための目覚まし音を発生させる目覚まし音発生手段を備え、前記設定された目覚まし時刻に応じて、前記目覚まし音発生手段を稼働させて目覚まし音を発生させることを特徴としている。
【００２５】
上記目的を達成するために、請求項１１記載の本発明は、前記請求項１，２，３，４，５，６，７，８、９または１０記載のものにおいて、ベッド床上の使用者の脚部を温める足温手段により、使用者の脚部を温めて該脚部の血流を盛んにすることを特徴としている。
【発明の効果】
【００２６】
請求項１記載の発明によれば、ベッド床上に臥した使用者は、振動発生手段の振動が頭部へ波及するのを極力回避しながら、その振動で脚部へ振動刺激が与えられる。これにより、使用者は、脚部の抹消神経および皮膚面への刺激を与えられて下半身の血行が盛んになり、睡眠を促進されて早期に深い眠りにつくことができる。
【００２７】
請求項２記載の発明によれば、揺動駆動手段によるベッド床の、使用者の頭部を上下方向に通過する揺動中心軸線まわりの左右方向の揺動による使用者の頭部がほとんど上下に昇降揺動しない揺動と、振動発生手段によるベッド床の後側受部の振動との協働により、ベッド床上の使用者は、頭部への刺激を殆ど受けることなく、左右方向の揺すりと、脚部への振動刺激をうけて眠りを促進され、早期に深い眠りにつくことができる。
【００２８】
請求項３記載の発明によれば、揺動駆動手段により、使用者は、その頭部が、ほとんど上下に昇降揺動せずに水平状態を保ちながら、その脚部は緩やかなシーソー状の上下方向の傾動を伴いながら左右方向に揺動されて身体に心地よい揺動を与えられ、かつ振動発生手段により、その頭部への振動が極力抑えられながらその脚部への振動刺激が与えられてその睡眠を一層促進することができる。
【００２９】
請求項４記載の発明によれば、ベッド床の振動、揺動稼働の停止後は、ベッド床の上面は水平状態に固定されるので、使用者の安全が確保され、安心してこの睡眠促進用ベッドを利用することができる。
【００３０】
請求項５記載の発明によれば、使用者は、頭部側から脚部側へ下方に傾斜する状態をとり得るので、使用者の脚部への血液の流れの負担を軽減することができ、安眠を一層促進することができる。
【００３１】
請求項６記載の発明によれば、使用者は、ベッド床の後側受部の振動周波数および振動稼働時間を自分に合ったものに調整することができる。
【００３２】
請求項７記載の発明によれば、使用者は、ベッド床の揺動速度、揺動稼働時間を自分に合ったものに調整することができる。
【００３３】
請求項８記載の発明によれば、使用者は、ベッド床の心地よい前記振動または揺動をうけながら、安らぎ用芳香を嗅ぎ、心身を安静化させる音楽を聞き、さらにストレス解消用の暗示トークを聞いて、短時間のうちに深い眠りにつくことができる。
【００３４】
請求項９記載の発明によれば、ベッド床を揺動または振動させることで使用者を刺激して目覚ましを行うので、使用者を睡眠から確実に目覚めさせることができる。特に、目覚まし動作時のベッド床の揺動速度を睡眠促進時よりも増し、またはベッド床の振動周波数を睡眠促進時よりも増すことにより、目覚ましとするので、ベッド床の揺動または振動を睡眠促進のほか、目覚ましにも利用することができる。
【００３５】
請求項１０記載の発明によれば、目覚まし音を発生させて目覚ましを行なうので、使用者を睡眠から、より一層確実に目覚めさせることができる。
【００３６】
請求項１１記載の発明によれば、足温手段で使用者の脚部の血行を盛んにして誘眠効果を一層高めることができる。
【発明を実施するための最良の形態】
【００３７】
以下、本発明の実施の形態を、添付図面に示した本発明の実施例に基づいて具体的に説明する。
【００３８】
図１〜図１９は、本発明の第１実施例を示すものであり、図１は、睡眠促進用ベッドの一部破断全体側面図、図２は、睡眠促進用ベッドを上下に傾斜した場合の一部破断全体側面図、図３は、睡眠促進用ベッドの一部破断全体斜視図、図４は、ベッド床の分解斜視図、図５は、図１の５矢視の睡眠促進用ベッドの一部破断平面図、図６は、図１の６−６線に沿う睡眠促進用ベッドの一部破断前端面図、図７は、図１の７−７線に沿う睡眠促進用ベッドの一部破断後端面図、図８は、図１の８−８線に沿う拡大断面図、図９は、図１の９矢視仮想線囲い部分の拡大図、図１０は、図９の１０−１０線に沿う断面図、図１１は、図８の１１矢視仮想線囲い部分の拡大図、図１２は、図１１の１２−１２線に沿う断面図、図１３は、図１の１３矢視拡大図、図１４は、図１３の１４−１４線に沿う断面図、図１５は、図１４の１５矢視図、図１６は、図１の１６矢視拡大図、図１７は、図１６の１７−１７線に沿う断面図、図１８は、リモコンスイッチの正面図、図１９は、睡眠促進用ベッドの駆動制御の結線説明図である。
【００３９】
図１〜３に示すように、睡眠促進用ベッドのベッドフレームＦは、鉛直方向に起立される板状の前、後部フレーム１，２と、これら前、後部フレーム１，２を一体に連結する略水平な底部フレーム３とより側面視凹状に構成される。ベッドフレームＦ内には、後述する支持フレームＳが上下方向に傾動可能に支持され、さらに、この支持フレームＳに、後に詳述するベッド床Ｂが、上下方向の揺動中心軸線Ｌ１−Ｌ１まわりに左右方向に揺動可能に支持される。また、このベッドフレームＦの下面四隅には、このベッドフレームＦを自在に走行可能にするためのキャスタ２９がそれぞれ設けられる。
【００４０】
図３に示すように、前記支持フレームＳは、方形の枠状に形成されており、ベッドフレームＦの前、後部フレーム１，２の間で、底部フレーム３の上方に配置されている。前部フレーム１の内面下部左右には、支持フレームＳの前端に固定された支持軸５が一対の軸受４，４を介して上下方向に回転可能に横架されており、支持フレームＳは、その支持軸５まわりに上下方向に傾動可能である。また、支持フレームＳの後端の左右には、後方に延びる一対の支持アーム６，６が片持状に一体に設けられており、図７に最も明瞭に示すように、これらの支持アーム６，６の後端には、ウエルドナットｎ、ｎがそれぞれ固定され、これらのウエルドナットｎ，ｎには、後部フレーム３に設けた上下方向のガイド孔８，８を摺動自在に貫通した調整螺子７，７がねじ込まれている。したがって、一対の調整螺子７，７を緩めたのち、支持フレームＳの後端をガイド孔８，８に沿って上下方向に昇降調節することにより、支持フレームＳを支持軸５まわりに上下に傾動調整することができ、図２に示すように、支持フレームＳを後方（ベッド床Ｂ上に仰臥する使用者Ｍの足側）に向かって下向きに傾動（約３．５度）させることができる。また、調整螺子７，７を締め付けることにより、該支持フレームＳを所定の位置に固定することができる。
【００４１】
支持フレームＳの後端中間部と、ベッドフレームＦとの間には、ガススプリング９が連結されており、支持フレームＳの前述の傾動調整は、このガススプリング９のスプリング作用により助成されて軽快、緩徐かつ容易に行なうことができる。
【００４２】
支持フレームＳは、図１に示すように、ベッド床Ｂの上面が水平になる状態と、図２に示すように、ベッド床Ｂ上の使用者Ｍの頭部Ｈ側から脚部Ｌｅ側へ向かい下向きに傾斜する状態とを取り得るようにされており、２図の傾斜状態（傾斜角度約３．５度）では、ベッド床Ｂ上の使用者Ｍは、脚部Ｌｅへの血液の流れを助成することができる。
【００４３】
図１〜４に示すように、前記ベッド床Ｂは、方形状の皿状をなす、床フレームとしての揺動フレーム１１を備えており、この揺動フレーム１１上には、使用者Ｍの頭部Ｈおよび胴部Ｔを受ける前側受部ＳＦと、使用者の脚部Ｌｅを受ける後側受部ＳＲとが、相互に分かれた状態で収容支持されている。図４に最も明瞭に示すように、前記前側受部ＳＦは長方形板状の複数枚の弾褥体を積層してなるもので、すなわち揺動フレーム１１の底板１１ａ上に底部弾褥体（スポンジマットレスなど）３３ａ、中間板材（ベニヤ板など）３５を挟んで中間部弾褥体（発泡マットレス）３３ｂおよび上部弾褥体（低反発マットレスなど）３３ｃを順に積層して構成されている。一方、後側受部ＳＲは、その全体が後述する振動発生手段Ｖａからの振動を受けて上下に振動されるようにされており、揺動フレーム１１の底板１１ａ上に複数（４個）の緩衝材としのコイルスプリング９１を介して支持される長方形状の振動部材（ベニヤ板）９０と、その上に順に積層される、長方形状の中間部弾褥体（発泡マットレス）３４ｂおよび上部弾褥体（低反発マットレスなど）３４ｃとより構成されている。
【００４４】
なお、緩衝材９１は、コイルスプリングに代えて、防振ゴムや弾性を有する発泡体を用いることができる。
【００４５】
図９，１０に示すように、後側受部ＳＲの振動部材９０の前寄りの中間部には、振動発生手段としての回転式振動発振装置Ｖａが一体に懸吊支持されている。この回転式振動発振装置Ｖａは、振動部材９０の下面にボルト・ナット９４により固定される振動モータ９２と、その出力軸に固定される振動バランサ９３とより構成されており、振動モータ９２の下部は、揺動フレーム１１の底板１１ａの開口を通してその下方に突出している。そして、この振動モータ９２の回転（約５２０回転／分）によれば、振動バランサ９３（重さ約１ｇ）が偏心回転（偏心幅約３ｍｍ）して振動部材９０に上下方向の振動を与え、これにより後側受部ＳＲ全体が上下方向に振動し、後に述べるように、使用者Ｍの脚部Ｌｅに睡眠促進に有効な上下振動を付与することができる。
【００４６】
なお、前記回転式振動発振装置Ｖａが発生する振動の振動周波数と、その振動稼働時間は後に述べるリモコン３２（図１８参照）の操作により任意にコントロールできるようにされている。
【００４７】
床フレーム、すなわち揺動フレーム１１上の前後に収納支持される、前記前側受部ＳＦと後側受部ＳＲとは、この実施例では、直接の接触を回避すべく分かれている。図９に示すように、前側受部ＳＦの後縁と、後側受部ＳＲの前縁との間には、それらの全幅にわたり間隙ｄ（約１５ｍｍ）が設けられている。これにより、振動発生手段Ｖａの稼働による、前述の後側受部ＳＲの上下振動は、この後側受部ＳＲから前側受部ＳＦへ直接伝わることが回避され、後に述べるように、後側受部ＳＲの上下振動が前側受部ＳＦ上の使用者Ｍの頭部Ｈへ波及するのを極力抑えることができる。
【００４８】
なお、前側受部ＳＦと後側受部ＳＲとの間には、間隙ｄを設けずに、それらの分かれ面が相互に上下方向に擦れ動くようにしてもよい。
【００４９】
後側受部ＳＲの上下振動は、床フレーム、すなわち振動フレーム１１を介して前側受部ＳＦに伝わることになるが、この振動は前記複数のコイルスプリング９１および前側受部ＳＦの複数の弾褥体３３ａ、３３ｂ，３３ｃにより効果的に緩衝吸収されて、前側受部ＳＦの上部（使用者Ｍの頭部Ｈを受ける）への波及が極力抑えられるようにされている。
【００５０】
図４，９に示すように、前側受部ＳＦと後側受部ＳＲとに跨がり、それらの全域には、毛布などの敷物９５が敷設されており、前側受部ＳＦと後側受部ＳＲとに跨がって臥する使用者Ｍが、前記間隙ｄによって違和感を感じることがないようにされている。
【００５１】
なお、この敷物９５を介して後側受部ＳＲの振動が前側受部ＳＦに波及することは殆どない。
【００５２】
使用者Ｍは、図１，２，５に示すように、その頭部Ｈおよび胴部Ｔ（骨盤のある腰部を含む）が、前側受部ＳＦによって支えられ、またその脚部Ｌｅ（大腿部、下腿部、足など）が後側受部ＳＲによって支えられるように床ベッドＢ上に臥するようにする。これにより、後側受部ＳＲから受ける脚部Ｌｅの振動が、使用者Ｍの身体自体を伝わって頭部Ｈへ波及するのを回避（頭蓋骨に直結する背骨および骨盤は、前側受部ＳＦにより受ける）することができる。
【００５３】
以上のように、ベッド床Ｂ上の使用者Ｍは、その脚部Ｌｅに加振される振動が、ベッド床Ｂを通して、また使用者自身を通して頭部Ｈへ波及するのを可及的に抑制することができることにより、脳中の生体機能の攪乱、不快感などの頭部Ｈへの悪影響を無くして、脚部Ｌｅへの振動による抹消神経および皮膚面への刺激を与え、下半身への血行を盛んにして睡眠を促すことができる。
【００５４】
また、ベッド床Ｂは、その前部（使用者Ｍの頭部Ｈ側）が、後述する軸受支持手段ＳＢを介して支持フレームＳの前部に、上下方向の揺動中心軸線Ｌ１−Ｌ１まわりに左右方向に揺動可能に支持され、また、その後部（使用者の足側）が、後述するレール案内支持手段ＳＬを介して支持フレームＳの後部に左右方向にスライド移動可能に支持されている。      
【００５５】
図１〜３，図６に示すように、前記軸受支持手段ＳＢは、自動調心軸受１２と、この軸受１２により支持される上下支持軸１３とを備えており、前記自動調心軸受１２は、支持フレームＳの前部のクロスメンバーの中央に設けられ、一方、上下支持軸１３は、ベッド床Ｂの揺動フレーム１１の前部の左右方向中央に一体に吊下されている。したがって、ベッド床Ｂの前部の左右方向中央は、支持フレームＳの前部に前記軸受支持手段ＳＢを介して上下方向の揺動中心軸線Ｌ１−Ｌ１まわりに左右方向に揺動可能に支持される。
【００５６】
また、図６に示すように、前記自動調心軸受１３の中心Ｃは、前記揺動中心軸線Ｌ１−Ｌ１上にあり、ベッド床Ｂは、この中心Ｃを揺動中心点として上下方向にシーソー状の傾動（図６矢印ａ）が許容される。
【００５７】
また、図１〜３，図７に示すように、前記レール案内支持手段ＳＬは、支持フレームＳの後端に固定される、横方向に略水平に延びる案内レール３８と、ベッド床Ｂの後端左右にブラケット４０，４０を介して回転自在に支持される一対のローラ３９，３９とより構成され、これらのローラ３９，３９は、前記案内レール３８上を転動できるようにされている。
【００５８】
図１，２，５に示すように、ベッド床Ｂ上に使用者Ｍが仰臥したとき、ベッド床Ｂの上下方向の揺動中心軸線Ｌ１−Ｌ１、すなわち、上下支持軸１３の中心軸線は、その使用者Ｍの頭部Ｈを上下方向に通過しており、したがって、ベッド床Ｂが前記揺動中心軸線Ｌ１−Ｌ１まわりに左右方向に揺動するとき、使用者Ｍは、その頭部Ｈが上下方向に揺すられることが殆どなく、その頭部Ｈを中心して左右方向に揺すられることになり、その頭部Ｈと脚部Ｌｅ間の揺すり軌跡は、ベッド床Ｂの平面視で、頭部Ｈを中心とし脚部Ｌｅの足が最も大きく揺すられる扇形状となる（図５参照）。
【００５９】
しかして、ベッド床Ｂは、前記上下方向の揺動中心軸線Ｌ１−Ｌ１まわりに左右方向に揺動するとき、自動調心軸受１３の中心、すなわち揺動中心点Ｃまわりにシーソー状の上下方向の傾動が許容されるので、ベッド床Ｂの左右方向への揺動は、可動部分に無理な力をかけることなくスムーズに行なわれる。
【００６０】
図１〜３に示すように、ベッドフレームＦの後部には、電源に接続される元スイッチ８１、後述する足温手段、すなわち足温コタツＨＥ用コンセント８０が設けられる外、睡眠促進用ベッドを揺動および振動制御する制御装置Ｅ、タイマーＴ１〜Ｔ１２、揺動回数記憶手段Ｋ１〜Ｋ３、目覚まし時刻記憶手段Ｋ４、現在の時刻を出力する時計手段ＣＬ、ブレーキモータ１５の回転数、振動モータ９２の回転数を可変制御するインバータなどを備えた制御盤１０、音楽すなわちＢＧＭプレーヤー３０、ささやきプレーヤー３１が設けられる。
【００６１】
前記ベッド床Ｂは、揺動駆動手段Ｄにより、支持フレームＳに対して、前記上下方向の揺動中心軸線Ｌ１−Ｌ１まわりに左右方向に強制揺動駆動される。
【００６２】
つぎに、この揺動駆動手段Ｄの構成について、図１〜３および８，１１，１２を参照して詳細に説明するに、支持フレームＳの中間部には、ブラケット１４を介してブレーキモータ１５が固定支持されている。このブレーキモータ１５は従来公知のものであり、インバータが接続されていて回転数を可変に制御でき、また、その停止時にはブレーキがかかるようになっている。ブレーキモータ１５の減速出力軸１６には偏心板１７が固定されている。この偏心板１７には、偏心軸１８が、偏心量を無段に調整できるように連結されている。すなわち、図１１，１２に示すように、偏心板１７の外面にはガイドブロック１９が固定され、このガイドブロック１９に形成した径方向のアリ溝２０に、偏心軸１８と一体のアリ凸部２１が摺動自在に嵌合されており、このアリ凸部２１に、ガイドブロック１９に回転自在に設けた調節ボルト２２が螺挿されている。したがって、この調節ボルト２２の回転制御で偏心軸１８の偏心量を調節することができる。偏心軸１８の一端には、連結棒２３の一端が回転自在に連結され、この連結棒２３の他端に、ベッド床Ｂのクロスメンバーの中央部より一体に垂下した揺動アーム２５の下端が回転自在にピン連結２４されている。ブレーキモータ１５の駆動によれば、偏心板１７、偏心軸１８、連結棒２３および揺動アーム２５を介してベッド床Ｂの揺動フレーム１１を所定の振幅（約５０ｍｍ）をもって左右に揺動駆動することができ、その振幅量は、調節ボルト２２の回転制御により無段に調節可能である。また、ブレーキモータ１５の停止時には、これにブレーキがかかるため、ベッド床Ｂに外力が作用しても、これが無為に揺動するのを抑止することができる。
【００６３】
図８に示すように、前記揺動アーム２５の左右には、支持フレームＳより垂下した一対の水平位置検出用近接スイッチ２６ａ，２６ｂが配設されており、これらの近接スイッチ２６ａ，２６ｂにより、ベッド床Ｂの位置が検出される。後述するタイマーＴ１，Ｔ５，Ｔ６による経過時間がくれば、または、揺動．振動停止キーＳ５（図１８）が押されれば、揺動スピードを減速して、これらの近接スイッチ２６ａ，２６ｂによりベッド床Ｂの位置を検出して揺動駆動用ブレーキモータ１５を停止させ、該ブレーキモータ１５にブレーキがかかり、ベッド床Ｂは水平位置を保って停止するようにされる。
【００６４】
しかして、前記水平位置検出用近接スイッチ２６ａ，２６ｂにより水平位置検出手段が構成され、また、これらの近接スイッチ２６ａ，２６ｂと、近接スイッチ２６ａ，２６ｂの検出信号で揺動駆動用ブレーキモータ１５を停止制御する制御装置Ｅとにより水平維持検知停止機構が構成され、さらに、前記ブレーキモータ１５のブレーキにより、水平位置固定手段が構成され、さらにまた、前記偏心板１７、偏心軸１８、調節ボルト２２により揺動幅調整装置Ａが構成される。
【００６５】
なお、前記振動モータ９２とブレーキモータ１５の起動と停止はこの実施例では同時に行なわれる。
【００６６】
図１，２および図５に示すように、ベッド床Ｂ上の前部の左右中央には、枕ユニットＰが設けられる。この枕ユニットＰは、複数の固定金具４１をもって、ベッド床Ｂの揺動フレーム１１の前部の両側面に固定されている。
【００６７】
つぎに、この枕ユニットＰの構成を、図１，２，１３〜１５を参照して説明すると、この枕ユニットＰは、使用者Ｍの頭部Ｈを支える水平部分Ｐｈと、安眠用機器類の取り付けられる鉛直部分Ｐｖとを有して側面視Ｌ字状に形成されていて、低反発ウレタン樹脂よりなる枕本体４３の外周面を布カバーよりなる表皮４４により包覆して構成される。枕ユニットＰの鉛直部分Ｐｖの背面には出入口４５が開口され、この出入口４５を通して枕本体４３内には、軟質、ゲル状の冷却マット４６が出入れ可能に装入される。この冷却マット４６（冷蔵庫、冷凍室などで冷却して使用するものであり−２０°〜−２５°では硬くならないもの）は、軟質の袋体中に冷却剤を封入して構成される。前記出入口４５は、枕本体４３の背面に開閉自在に蝶着４８した蓋体４７により閉じられる。図１５に示すように、枕ユニットＰの表皮４４の背面には、蓋体４７を覆う開閉カバー４９がチャック５０により開閉可能に設けられており、この開閉カバー４９を開いた後、蓋体４７を開放すれば、冷却マット４６の枕ユニットＰへの出入れができる。
【００６８】
なお、冬期などの低温時には、冷却マット４６は使用しない。
【００６９】
枕ユニットＰの鉛直部分Ｐｖの左右には、対をなす芳香発生手段ＳＭ、ＢＧＭなどを発生する音楽発生手段ＭＵ、および「ささやき・やすらぎ」などの音声を発生する暗示トーク発生手段ＷＩが、それぞれ上下に縦列配置されている。前記芳香発生手段ＳＭは、セラピー香料などの芳香剤６０と、送風ファン６１とを備えており、芳香剤６０は、枕ユニットＰの上面に開口した投入口４２内に出入れ自在に収容され、送風ファン６１は、その背面に配置される。送風ファン６１の駆動によれば、芳香剤６０から発散する芳香は、枕ユニットＰの鉛直部分Ｐｖの前面に開口した発散口よりベッド床Ｂ上に向けて発散される。      
【００７０】
また、音楽発生手段ＭＵは、ベッドフレームＦに設けられるＢＧＭプレーヤー３０（図１参照）に接続されるスピーカー６３を備え、このスピーカー６３より流れるＢＧＭは、枕ユニットＰの鉛直部Ｐｖの前面に開口した発生口よりベッド床Ｂ上に向けて流れる。さらに、前記暗示トーク発生手段、すなわち「ささやき・やすらぎ」発生手段ＷＩは、「ささやき・やすらぎ」用プレーヤー３１（図１参照）に接続される他のスピーカー６５を備え、このスピーカー６５より発する「ささやき・やすらぎ」音声は、枕ユニットＰの鉛直部Ｐｖの前面に開口した他の発生口よりベッド床Ｂ上に向けて流れる。
【００７１】
しかして、前記音楽発生手段、すなわちＢＧＭ発生手段ＭＵは、本発明にかかる目覚まし音発生手段を構成している。
【００７２】
ベッド床Ｂの後部には、ベッド床Ｂ上の使用者Ｍの脚部Ｌｅの脚部を温める足温手段ＨＥが設けられる。
【００７３】
つぎに、図１，２，１６，１７を参照してこの足温手段ＨＥの構造について説明するに、足温手段ＨＥは、この実施例では、足温コタツよりなり、その足温ボックス７１はベッド床Ｂに配置されて、複数の固定金具７０をもって揺動フレーム１１の両側面に着脱自在に固定される。足温ボックス７１は、ハードボード板により横方向に長い箱状に形成され、その前面、すなわち使用者Ｍ側に向けて脚部Ｌｅの足部分の出入口７２が開口されている。足温ボックス７１の内面にはロックウールよりなる断熱材７３が裏打ちされ、その断熱材７３の内側には断熱用アルミ箔７４を介して、被覆ニクロム線よりなる、コイル状のヒータ７５が配管されている。このヒータ７５は、アルミ板７７を介して不燃布７６により覆われており、ヒータ７５からの熱は、アルミ板７７を介して不燃布７６に万遍なく伝達され、足温ボックス７１内の保温室が均等に保温されるようにされている。足の出入口７２の上部には、不燃布からなる可撓性の覆い布７８が垂下されていて、足の出入口７２を覆うようにしてある。図１，３に示すように、ベッドフレームＦの底部フレーム３の後端には、足温コタツＨＥのコンセント８０が設けれ、電源に接続される元スイッチ８１が設けられる（図１，３参照）。
【００７４】
図１，２，１７に鎖線に示すように、ベッド床Ｂ上に仰臥する使用者Ｍは、自己の脚部Ｌｅを足温コタツＨＥの保温室内に挿入して温めることができる。この足温コタツＨＥは、夏期など不要なときはベッド床Ｂより外しておく。
【００７５】
なお、この足温手段ＨＥとしての前記電熱式足温コタツは、寒冷地、冬期など気温の特に低い（１５°以下）ときに使用されるものであり、春、秋など気温がそれほど低くない（１５°以上）ときには、前記電熱式足温コタツをベッド床Ｂから取り外して簡便な保温材を足温手段ＨＥとして用いてもよい。たとえば、厚手のソックスの表裏面に携帯用カイロ〔たとえば、ホカロン（ロッテ電子工業株式会社、商品名〕を貼り付ける。
【００７６】
使用者Ｍの脚部を温めることは、血液の流れを盛んにして、睡眠を促進するのにきわめて有効であるとされている。
【００７７】
図１，２において、符号ＢＬは、使用者Ｍを覆う毛布である。
【００７８】
図１〜３に示すように、ベッドフレームＦの前部一側にはリモコンボックス２８が設けられ、このリモコンボックス２８には、この睡眠促進用ベッドを作動制御するリモコン３２が着脱可能に収容され、この睡眠促進用ベッドの使用者Ｍはこのリモコン３２を把持して睡眠促進用ベッドを適宜操作する。
【００７９】
なお、このリモコン３２は、睡眠促進用ベッドの使用者Ｍ以外の者による操作も可能であり、たとえば介護の必要な使用者Ｍの場合などがこれに当たる。
【００８０】
図１８に示すように、リモコン３２の操作面には、下記のキーなどが設けられる。
【００８１】
以下のリモコン３２の操作説明において、「揺動」とは、ベッド床Ｂ全体が揺動中心軸線Ｌ１−Ｌ１まわりに略水平方向に揺動することであり、また、「振動」とは、ベッド床Ｂの後側受部ＳＲ（使用者脚部Ｌｅを受ける）が上下方向に振動することである。
【００８２】
ＤＳＰ：表示器
各設定数値（分、回／分）などを表示する。
【００８３】
Ｓ１  ：第１プログラムキー
第１プログラムをスタートできる。
【００８４】
Ｓ２  ：第２プログラムキー
第２プログラムをスタートできる。
【００８５】
Ｓ３  ：連動キー
第１、第２プログラムにおいて、ＢＧＭプレーヤー３０、ささやきプレーヤ            ー３１および芳香ファン６１を、ベッド床Ｂの揺動停止および振動停止と同            時に停止させるときに押す。
【００８６】
Ｓ４  ：揺動・振動スタートキー
ベッド床Ｂの揺動および振動をスタートできる。
【００８７】
Ｓ５  ：揺動・振動停止キー
ベッド床Ｂの揺動および振動を停止することができる。また、第１、第２プ            ログラムを実行中に押すと全停止する。さらに、後述する目覚まし動作中に            押すと全停止する。
【００８８】
Ｓ６  ：ＢＧＭスタートキー
ＢＧＭプレーヤー３０をスタートすることができる。
【００８９】
Ｓ７  ：ＢＧＭ停止キー
ＢＧＭプレーヤー３０を停止することができる。
【００９０】
Ｓ８  ：ささやきスタートキー
ささやきプレーヤー３１をスタートすることができる。
【００９１】
Ｓ９  ：ささやき停止キー
ささやきプレーヤー３１を停止することができる。
【００９２】
ＶＲ１：ＢＧＭ音量調整器
ＢＧＭスピーカー６３の音量を調整するときに操作する。
【００９３】
ＶＲ２：ささやき音量調整器
ささやきプレーヤー６５の音量を調整するときに操作する。
【００９４】
Ｓ１０：芳香スタートキー
芳香ファン６１を稼働することができる。
【００９５】
Ｓ１１：芳香停止キー
芳香ファン６１を停止することができる。
【００９６】
Ｓ１２：足温コタツ「入」キー
足温コタツＨＥを入りにできる。
【００９７】
Ｓ１３：足温コタツ「切」キー
足温コタツＨＥを切りにできる。
【００９８】
Ｓ１４：増加キー
設定する数値を増加させることができる。
【００９９】
Ｓ１５：減少キー
設定する数値を減少させることができる。
【０１００】
Ｓ１６：揺動・振動時間キー
ベッド床Ｂが揺動・振動する揺動・振動稼働時間ｔ１，ｔ５，ｔ９を設定す            るときに押す。
【０１０１】
Ｓ１７：ＢＧＭ時間キー
ＢＧＭプレーヤー３０が稼働するＢＧＭ稼働時間ｔ２，ｔ６，ｔ１０を設定            するときに押す。
【０１０２】
Ｓ１８：ささやき時間キー
ささやきプレーヤー３１が稼働するささやき稼働時間ｔ３，ｔ７，ｔ１１を            設定するときに押す。
【０１０３】
Ｓ１９：芳香時間キー
芳香ファン６１が稼働する芳香ファン稼働時間ｔ４，ｔ８，ｔ１２を設定す            るときに押す。
【０１０４】
Ｓ２０：揺動回数キー
ベッド床Ｂの揺動回数ｋ１，ｋ２，ｋ３（回／分）を設定するときに押す            。
【０１０５】
Ｓ２１：設定キー
各種設定を始めるときに押す。
【０１０６】
Ｓ２２：決定キー
各種設定値を決定するときに押す。
【０１０７】
Ｓ２３：クリアキー
設定時のキー入力をクリアーするときに押す。
【０１０８】
Ｓ２４：目覚まし「入」キー
目覚まし時刻を設定することができる。
【０１０９】
Ｓ２５：時キー                                                                            目覚まし時刻を表示器ＤＳＰに表示させることができる。
【０１１０】
Ｓ２６：分キー
目覚まし時刻の分を変更するときに押す。
【０１１１】
しかして、前記目覚まし「入」キーＳ２４、時キーＳ２５、分キーＳ２６、増加キー１４、減少キーＳ１５、表示器ＤＳＰが協働して、本発明にかかる目覚まし時刻設定手段を構成する。
【０１１２】
つぎに、タイマーＴ１〜Ｔ１２、および揺動・振動回数記憶手段Ｋ１〜Ｋ３について説明する。
【０１１３】
Ｔ１  ：タイマー
揺動・振動スタートキーＳ４が押されたときに揺動・振動実稼働時間を検出            する。
【０１１４】
Ｔ２  ：タイマー
ＢＧＭスタートキーＳ８が押されたときにＢＧＭ実稼働時間を検出する。
【０１１５】
Ｔ３  ：タイマー
ささやきスタートキーＳ１０が押されたときにささやき実稼働時間を検出す            る。
【０１１６】
Ｔ４  ：タイマー
芳香スタートキーＳ１２が押されたときに芳香ファン実稼働時間を検出する            。
【０１１７】
Ｔ５  ：タイマー
第１プログラムキーＳ１が押されたときに揺動・振動実稼働時間を検出する。
【０１１８】
Ｔ６  ：タイマー
第１プログラムキーＳ１が押されたときにＢＧＭ実稼働時間を検出する。
【０１１９】
Ｔ７  ：タイマー
第１プログラムキーＳ１が押されたときにささやき実稼働時間を検出する。      
【０１２０】
Ｔ８  ：タイマー
第１プログラムキーＳ１が押されたときに芳香ファン実稼働時間を検出する            。
【０１２１】
Ｔ９  ：タイマー
第２プログラムキーＳ２が押されたときに揺動・振動実稼働時間を検出する。
【０１２２】
Ｔ１０：タイマー
第２プログラムキーＳ２が押されたときにＢＧＭ実稼働時間を検出する。
【０１２３】
Ｔ１１：タイマー
第２プログラムキーＳ２が押されたときにささやき実稼働時間を検出する。      
【０１２４】
Ｔ１２：タイマー
第２プログラムキーＳ２が押されたときに芳香ファン実稼働時間を検出する            。
【０１２５】
Ｋ１  ：揺動回数記憶手段
揺動・振動スタートキーＳ４が押されたときの揺動回数ｋ１を記憶する。
【０１２６】
Ｋ２  ：揺動回数記憶手段
第１プログラムキーＳ１が押されたときの揺動回数ｋ２を記憶する。
【０１２７】
Ｋ３  ：揺動回数記憶手段
第２プログラムキーＳ２が押されたときの揺動回数ｋ３を記憶する。
【０１２８】
Ｋ４  ：目覚まし時刻記憶手段
目覚まし時刻ｋ４を記憶する。
【０１２９】
つぎに、各種時間、揺動回数を設定する手順について説明する。
【０１３０】
まず、各タイマーＴ１〜Ｔ１２に設定された時間ｔ１〜ｔ１２が「０００」のときについて説明する。
【０１３１】
タイマーＴ１の揺動・振動稼働時間ｔ１に「０００」を設定すると、揺動・振動スタートキーＳ４が押されたときに、ベッド床Ｂの揺動・振動は、連続稼働する。
【０１３２】
タイマーＴ２のＢＧＭ稼働時間ｔ２に「０００」を設定すると、ＢＧＭスタートキーＳ８が押されたときに、ＢＧＭプレーヤー３０は、連続稼働する。
【０１３３】
タイマーＴ３のささやき稼働時間ｔ４に「０００」を設定すると、ささやきスタートキーＳ１０が押されたときに、ささやきプレーヤー３１は、連続稼働する。
【０１３４】
タイマーＴ４の芳香ファン稼働時間ｔ４に「０００」を設定すると、芳香スタートキーＳ１２が押されたときに、芳香ファン６１は、連続稼働する。
【０１３５】
タイマーＴ５の揺動・振動稼働時間ｔ５に「０００」を設定すると、連動キーＳ３が押されずに第１プログラムキーＳ１が押されたときに、ベッド床Ｂは揺動・振動しない。
【０１３６】
タイマーＴ６のＢＧＭ稼働時間ｔ７に「０００」を設定すると、連動キーＳ３が押されずに第１プログラムキーＳ１が押されたときに、ＢＧＭプレーヤー３０は稼働しない。
【０１３７】
タイマーＴ７のささやき稼働時間ｔ７に「０００」を設定すると、連動キーＳ３が押されずに第１プログラムキーＳ１が押されたときに、ささやきＢＧＭプレーヤー３１は稼働しない。
【０１３８】
タイマーＴ８の芳香ファン稼働時間ｔ８に「０００」を設定すると、連動キーＳ３が押されずに第１プログラムキーＳ１が押されたときに、芳香ファン６１は稼働しない。
【０１３９】
タイマーＴ９の揺動・振動稼働時間ｔ９に「０００」を設定すると、連動キーＳ３が押されずに第２プログラムキーＳ２が押されたときに、ベッド床Ｂは揺動・振動しない。
【０１４０】
タイマーＴ１０のＢＧＭ稼働時間ｔ１０に「０００」を設定すると、連動キーＳ３が押されずに第２プログラムキーＳ２が押されたときに、ＢＧＭプレーヤー３０は稼働しない。
【０１４１】
タイマーＴ１１のささやき稼働時間ｔ１１に「０００」を設定すると、連動キーＳ３が押されずに第２プログラムキーＳ２が押されたときに、ささやきプレーヤー３１は稼働しない。
【０１４２】
タイマーＴ１２の芳香ファン稼働時間ｔ１２に「０００」を設定すると、連動キーＳ３が押されずに第２プログラムキーＳ２が押されたときに、芳香ファン６１は稼働しない。      
【０１４３】
なお、連動キーＳ３が押されてから、第１プログラムキーＳ１、または第２プログラムキーＳ３が押されたときは、後述する「操作の説明」に記載する。
【０１４４】
１．揺動・振動スタートキーＳ４を押したときの揺動・振動稼働時間ｔ１を設定する手順
(1) 設定キーＳ２１を押す。これにより、表示器ＤＳＰに「設定」が表示される。
【０１４５】
(2) つぎに、揺動・振動時間キーＳ１６を押す。これにより、タイマーＴ１に現在設定させている揺動・振動稼働時間ｔ１が、表示器ＤＳＰに表示される。たとえば、現在設定させている揺動・振動稼働時間ｔ１が９０分の場合に、表示器ＤＳＰに「揺動・振動稼働時間設定：０９０分」が表示される。
【０１４６】
(3) つぎに、増加キーＳ１４、または減少キーＳ１５を押して、表示器ＤＳＰに希望する揺動・振動稼働時間を表示させる。たとえば、希望する揺動・振動稼働時間が１２０分の場合は、増加キーＳ１４を押して、表示器ＤＳＰに「揺動・振動稼働時間設定：１２０分」を表示させる。
【０１４７】
(4) つぎに、決定キーＳ２２を押す。これにより、表示器ＤＳＰの表示が消える。
【０１４８】
以上により、(3) で表示した時間が、タイマーＴ１の揺動・振動稼働時間ｔ１に設定される。たとえば、揺動・振動稼働時間ｔ１は１２０分に更新される。
【０１４９】
２．ＢＧＭスタートキーＳ６を押したときのＢＧＭ稼働時間ｔ２を設定する手順
(1) 設定キーＳ２１を押す。これにより、表示器ＤＳＰに「設定」が表示される。
【０１５０】
(2) つぎに、ＢＧＭ時間キー１７を押す。これにより、タイマーＴ２に現在設定させているＢＧＭ稼働時間ｔ２が、表示器ＤＳＰに表示される。たとえば、現在設定させているＢＧＭ稼働時間ｔ２が８０分の場合は、表示器ＤＳＰに「ＢＧＭ稼働時間設定：０８０分」が表示される。
【０１５１】
(3) つぎに、増加キーＳ１４、または減少キーＳ１５を押して、表示器ＤＳＰに希望するＢＧＭ稼働時間を表示させる。たとえば、希望するＢＧＭ稼働時間が１１０分の場合は、増加キーＳ１４を押して、表示器ＤＳＰに「ＢＧＭ稼働時間設定：１１０分」を表示させる。
【０１５２】
(4) つぎに、決定キーＳ２２を押す。これにより、表示器ＤＳＰの表示が消える。
【０１５３】
以上により、(3) で表示した時間が、タイマーＴ２のＢＧＭ稼働時間ｔ２に設定される。たとえば、ＢＧＭ稼働時間ｔ２は１１０分に更新される。
【０１５４】
３．ささやきスタートキーＳ８を押したときのささやき稼働時間ｔ３を設定する手順
(1) 設定キーＳ２１を押す。これにより、表示器ＤＳＰに「設定」が表示される。
【０１５５】
(2) つぎに、ささやき時間キーＳ１８を押す。これにより、タイマーＴ３に現在設定させているささやき稼働時間ｔ３が、表示器ＤＳＰに表示される。たとえば、現在設定させているささやき稼働時間ｔ３が７０分の場合は、表示器ＤＳＰに「ささやき稼働時間設定：０７０分」が表示される。
【０１５６】
(3) つぎに、増加キーＳ１４、または減少キーＳ１５を押して、表示器ＤＳＰに希望するささやき稼働時間を表示させる。たとえば、希望するささやき稼働時間が１００分の場合は、増加キーＳ１４を押して、表示器ＤＳＰに「ささやき稼働時間設定：１００分」を表示させる。
【０１５７】
(4) つぎに、決定キーＳ２２を押す。これにより、表示器ＤＳＰの表示が消える。
【０１５８】
以上により、(3) で表示した時間が、タイマーＴ３のささやき稼働時間ｔ３に設定される。たとえば、ささやき稼働時間ｔ３は１００分に更新される。
【０１５９】
４．芳香スタートキーＳ１０を押したときの芳香ファン稼働時間ｔ４を設定する手順
(1) 設定キーＳ２１を押す。これにより、表示器ＤＳＰに「設定」が表示される。
【０１６０】
(2) つぎに、芳香時間キーＳ１９を押す。これにより、タイマーＴ４に現在設定させている芳香ファン稼働時間ｔ４が、表示器ＤＳＰに表示される。たとえば、現在設定させている芳香ファン稼働時間ｔ４が６０分の場合は、表示器ＤＳＰに「芳香ファン稼働時間設定：０６０分」が表示される。
【０１６１】
(3) つぎに、増加キーＳ１４、または減少キーＳ１５を押して、表示器ＤＳＰに希望する芳香ファン稼働時間を表示させる。たとえば、希望する芳香ファン稼働時間が９０分の場合は、増加キーＳ１４を押して、表示器ＤＳＰに「芳香ファン稼働時間設定：０９０分」を表示させる。
【０１６２】
(4) つぎに、決定キーＳ２２を押す。これにより、表示器ＤＳＰの表示が消える。
【０１６３】
以上により、(3) で表示した時間が、タイマーＴ４の芳香ファン稼働時間ｔ４に設定される。たとえば、芳香ファン稼働時間ｔ４は９０分に更新される。
【０１６４】
５．揺動・振動スタートキーＳ４を押したときの揺動回数ｋ１を設定する手順
(1) 設定キーＳ２１を押す。これにより、表示器ＤＳＰに「設定」が表示される。
【０１６５】
(2) つぎに、揺動回数キーＳ２０を押す。これにより、揺動回数器記憶手段Ｋ１に現在設定させている揺動回数ｋ１が、表示器ＤＳＰに表示される。たとえば、現在設定させている揺動回数ｋ１が１０回／分の場合は、「揺動回数設定：０１０回／分」が表示される。
【０１６６】
(3) つぎに、増加キー１４、または減少キー１５を押して、表示器ＤＳＰに希望する揺動回数を表示させる。たとえば、希望する揺動回数が７回／分の場合、減少キーＳ１５を押して、表示器ＤＳＰに「揺動回数設定：７回／分」を表示させる。
【０１６７】
(4) つぎに、決定キーＳ２２を押す。これにより、表示器ＤＳＰの表示が消える。
【０１６８】
以上により、(3) で表示した回数が、揺動回数記憶手段Ｋ１に揺動回数ｋ１として設定される。たとえば、揺動回数ｋ１は７回／分に更新される。
【０１６９】
６．第１プログラムキーＳ１を押したときの、揺動・振動稼働時間ｔ５、ＢＧＭ稼働時間ｔ６、ささやき稼働時間ｔ７、芳香ファン稼働時間ｔ８および揺動回数ｋ２を設定する手順
(1) 設定キーＳ２１を押す。これにより、表示器ＤＳＰに「設定」が表示される。
【０１７０】
(2) つぎに、プログラムキーＳ１を押す。これにより「第１プログラム設定」が表示器ＤＳＰに表示される。
【０１７１】
(3) つぎに、揺動・振動時間キー１６を押す。これにより、タイマーＴ５に現在設定させている揺動・振動稼働時間ｔ５が表示器ＤＳＰに表示される。たとえば、現在設定させている揺動・振動時間ｔ５が９０分に場合は、「揺動・振動稼働時間設定：０９０分」が表示される。
【０１７２】
(4) つぎに、増加キーＳ１４または減少キーＳ１５を押して、表示器ＤＳＰに希望する揺動・振動稼働時間を表示させる。たとえば、希望する揺動・振動稼働時間が１２０分の場合は、増加キーＳ１４を押して、表示器ＤＳＰに「揺動・振動稼働時間設定：１２０分」を表示させる。
【０１７３】
(5) つぎに、ＢＧＭ時間キーＳ１７を押す。これにより、タイマーＴ６に現在設定させているＢＧＭ稼働時間ｔ６が表示器ＤＳＰに表示される。たとえば、現在設定させているＢＧＭ稼働時間ｔ６が８０分に場合は、「ＢＧＭ稼働時間設定：０８０分」が表示される。
【０１７４】
(6) つぎに、増加キーＳ１４または減少キーＳ１５を押して、表示器ＤＳＰに希望するＢＧＭ稼働時間を表示させる。たとえば、希望するＢＧＭ稼働時間が１１０分に場合は、増加キーＳ１４を押して、表示器ＤＳＰに「ＢＧＭ稼働時間設定：１１０分」を表示させる。
【０１７５】
(7) つぎに、ささやき時間キーＳ１８を押す。これにより、タイマーＴ７に現在設定させているささやき稼働時間ｔ７が表示器ＤＳＰに表示される。たとえば、現在設定させているささやき稼働時間ｔ７が７０分の場合は、「ささやき稼働時間設定：０７０分」が表示される。  
【０１７６】
(8) つぎに、増加キーＳ１４または減少キーＳ１５を押して、表示器ＤＳＰに希望するささやき稼働時間を表示させる。たとえば、希望するささやき稼働時間が１００分に場合は、増加キーＳ１４を押して、表示器ＤＳＰに「ささやき稼働時間設定：１００分」を表示させる。
【０１７７】
(9) つぎに、芳香時間キーＳ１９を押す。これにより、タイマーＴ８に現在設定させている芳香ファン稼働時間ｔ８が表示器ＤＳＰに表示される。たとえば、現在設定させている芳香ファン稼働時間ｔ８が６０分に場合は、「芳香ファン稼働時間設定：０６０分」が表示される。  
【０１７８】
(10)つぎに、増加キーＳ１４または減少キーＳ１５を押して、表示器ＤＳＰに希望する芳香ファン稼働時間を表示させる。たとえば、希望する芳香ファン稼働時間が９０分の場合は、増加キーＳ１４を押して、表示器ＤＳＰに「芳香ファン稼働時間設定：０９０分」を表示させる。  
【０１７９】
(11)つぎに、揺動回数キーＳ２０を押す。これにより、揺動回数記憶手段Ｋ２に現在設定させている揺動回数ｋ２が、表示器ＤＳＰに表示される。たとえば現在設定させている揺動回数ｋ２が１０回／分の場合は、「揺動回数設定：０１０回／分」が表示される。
【０１８０】
(12)つぎに、増加キーＳ１４または減少キーＳ１５を押して、表示器ＤＳＰに希望する揺動回数を表示させる。たとえば、希望する揺動回数が７回／分の場合は、減少キーＳ１５を押して、表示器ＤＳＰに「揺動回数設定：７回／分」を表示させる。
【０１８１】
(13)つぎに、決定キーＳ２２を押す。これにより、表示器ＤＳＰの表示が消える。
【０１８２】
以上により、(4) で表示した時間が、タイマーＴ５の揺動・振動稼働時間ｔ５に設定され、(6) で表示した時間が、タイマー６のＢＧＭ稼働時間ｔ６に設定され、(8) で表示した時間が、タイマーＴ７のささやき稼働時間ｔ７に設定され、(10)で表示した時間が、タイマーＴ８の芳香ファン稼働時間ｔ８に設定され、(12)で表示した回数が、揺動回数記憶手段Ｋ２に揺動回数ｋ２として設定される。
【０１８３】
たとえば、揺動・振動稼働時間ｔ５は１２０分、ＢＧＭ稼働時間ｔ６は１１０分、ささやき稼働時間ｔ７は１００分、芳香ファン稼働時間ｔ８は９０分、揺動回数ｋ２は７回／分にそれぞれ更新される。
【０１８４】
７．第２プログラムキーＳ２を押したときの、揺動・振動稼働時間ｔ９、ＢＧＭ稼働時間ｔ１０、ささやき稼働時間ｔ１１、芳香ファン稼働時間ｔ１２および揺動回数ｋ３を設定する手順
この場合、前記５における(2) で、第１プログラムキーＳ１を押すに代えて第１プログラムキーＳ２を押す以外は、前記５と同じである。
【０１８５】
なお、この場合において、(2) に「第１」とあるを「第２」に、また(3) に「Ｔ５」、「Ｔ９」とあるを、それぞれ「ｔ５」、「ｔ９」に、また、(5) に「Ｔ６」、「ｔ６」とあるを、それぞれ「Ｔ１０」、「ｔ１０」に、また、(7) に「Ｔ７」、「ｔ７」とあるを、「Ｔ１１」、「ｔ１１」に、(9) に「Ｔ８」、「ｔ８」とあるを、それぞれ「Ｔ１２」、「ｔ１２」に、また、(11)に「Ｋ２」、「ｋ２」とあるを、それぞれ「Ｋ３」、「ｋ３」に読み替えるものとする。
【０１８６】
以上により、(4) で表示した時間が、タイマーＴ９の揺動・振動稼働時間ｔ９に設定され、(6) で表示した時間がタイマー１０のＢＧＭ稼働時間ｔ１０に設定され、(8) で表示した時間が、タイマーＴ１１のささやき稼働時間ｔ１１に設定され、(10)で表示した時間が、タイマーＴ１２の芳香ファン稼働時間ｔ１２に設定され、(12)で表示した回数が、揺動回数記憶手段Ｋ３に揺動回数ｋ３として設定される。
【０１８７】
８．目覚まし時刻記憶手段Ｋ４に目覚まし時刻ｋ４を記憶させる手順
(1) 時キーＳ２５を押す。これにより、目覚まし時刻記憶手段Ｋ４が現在記憶している目覚まし時刻ｋ４が表示器ＤＳＰに表示される。たとえば、現在記憶している目覚まし時刻ｋ４が、午前６時００分の場合は、表示器ＤＳＰに「目覚まし時刻０６：００」が表示される。
【０１８８】
(2) つぎに、設定キー２１を押す。
【０１８９】
(3) つぎに増加キーＳ１４、また減少キーＳ１５を押して、表示器ＤＳＰに希望する目覚まし時刻の「時」を表示させる。たとえば、希望する目覚まし時刻が午前５時３０分の場合、減少キーＳ１５を押して、表示器ＤＳＰに「目覚まし時刻０５：００」を表示させる。
【０１９０】
(4) つぎに、分キーＳ２６を押す。
【０１９１】
(5) つぎに、増加キーＳ１４、または減少キーＳ１５を押して、表示器ＤＳＰに希望する目覚まし時刻の「分」を表示させる。たとえば、希望する目覚まし時刻が午前５時３０分の場合、増加キー１４を押して、表示器ＤＳＰに「目覚時刻０５：３０」を表示させる。
【０１９２】
以上により、前記(5) で表示した目覚まし時刻が目覚まし時刻ｋ４として、記憶される。
【０１９３】
なお、回転式振動発振装置Ｖａが発生する振動周波数は、リモコン３２の所定のキーを操作することにより任意に設定することができる。
【０１９４】
つぎに、リモコン３２による睡眠促進用ベッドの稼働操作について説明する。
【０１９５】
〔複数スタートの場合〕
１．第１プログラムを実行するとき
第１プログラムキーＳ１を押すと、ベッド床Ｂが揺動回数ｋ２の揺動と、設定された振動周波数の振動を始めると共にＢＧＭプレーヤー３０、ささやきプレーヤー３１および芳香ファン６１が稼働を始めて、ＢＧＭとささやきが流れ、芳香ファン６１による芳香剤の揮発性成分の拡散が始まり、また表示器ＤＳＰに「第１プログラム」が表示される。これにより、使用者Ｍが睡眠に入るのを促進するための睡眠促進動作が行われる。
【０１９６】
そして、第１プログラムキーＳ１を押したときから、芳香ファン稼働時間ｔ８が経過すると、芳香ファン６１が停止し、ささやき稼働時間ｔ７が経過すると  ささやきプレーヤー３１が停止し、ＢＧＭ稼働時間ｔ６が経過するとＢＧＭプレーヤー３０が停止し、揺動・振動稼働時間ｔ５が経過するとベッド床Ｂの揺動・振動が停止する。そして、すべてが停止すると、表示器ＤＳＰの「第１プログラム」表示が消える。
【０１９７】
２．第２プログラムを実行するとき
第２プログラムキーＳ２を押すと、ベッド床Ｂが揺動回数ｋ３の揺動と、設定された振動周波数の振動を始めると共にＢＧＭプレーヤー３０、ささやきプレーヤー３１および芳香ファン６１が稼働を始めて、ＢＧＭとささやきが流れ、芳香ファン６１による芳香剤の揮発性成分の拡散が始まり、また表示器ＤＳＰに「第２プログラム」が表示される。これにより、使用者Ｍが睡眠に入るのを促進するための睡眠促進動作が行われる。
【０１９８】
そして、第２プログラムキーＳ２を押したときから、芳香ファン稼働時間ｔ１２が経過すると、芳香ファン６１が停止し、ささやき稼働時間ｔ１１が経過すると、ささやきプレーヤー３１が停止し、ＢＧＭ稼働時間ｔ１０が経過するとＢＧＭプレーヤー３０が停止し、揺動・振動稼働時間ｔ９が経過するとベッド床Ｂの揺動が停止する。
【０１９９】
そして、すべてが停止すると、表示器ＤＳＰの「第２プログラム」の表示が消える。
【０２００】
３．連動第１プログラムを実行するとき
連動キーＳ３を押してから第１プログラムキーＳ１を押すと、ベッド床Ｂが揺動回数ｋ２の揺動と、設定された振動周波数の振動を始めると共にＢＧＭプレーヤー３０、ささやきプレーヤー３１および芳香ファン６１が稼働を始めて、ＢＧＭとささやきが流れ、芳香ファン６１による芳香剤の揮発性成分の拡散が始まり、また表示器ＤＳＰに「連動第１プログラム」が表示される。これにより、使用者Ｍが睡眠に入るのを促進するための睡眠促進動作が行われる。
【０２０１】
そして、第１プログラムキーＳ１を押したときから、揺動・振動稼働時間ｔ５が経過すると、ベッド床Ｂの揺動と振動、ＢＧＭプレーヤー３０、ささやきプレーヤー３１および芳香ファン６１が停止し、表示器ＤＳＰの「連動第１プログラム」表示が消える。
【０２０２】
たとえば、揺動・振動稼働時間ｔ５に１２０分が設定され、ＢＧＭ稼働時間ｔ６に１１０分が設定されている場合、ＢＧＭプレーヤー３０は、揺動・振動稼働時間ｔ５に設定されている１２０分を経過すると停止する。また揺動・振動稼働時間ｔ５に１２０分が設定され、ＢＧＭ稼働時間ｔ６に「０００」が設定されている場合、連動キーＳ３を押してから第１プログラムキーＳ１を押すと、ＢＧＭプレーヤー３０は稼働を始めて、ＢＧＭが流れる。そして、ＢＧＭプレーヤー３０は、揺動・振動稼働時間ｔ５に設定されている１２０分が経過すると停止する。
【０２０３】
４．連動第２プログラムを実行するとき
連動キーＳ３を押してかられ第２プログラムキーＳ２を押すと、ベッド床Ｂが揺動回数ｋ３の揺動と、設定された振動周波数の振動を始めると共にＢＧＭプレーヤー３０、ささやきプレーヤー３１および芳香ファン６１が稼働を始めて、ＢＧＭとささやきが流れ、芳香ファン６１による芳香剤の揮発性成分の拡散が始まり、また表示器ＤＳＰに「連動第２プログラム」が表示される。これにより使用者Ｍが睡眠に入るのを促進するための睡眠促進動作が行われる。
【０２０４】
そして、第２プログラムキーＳ１を押したときから、揺動・振動稼働時間ｔ１０が経過すると、ベッド床Ｂの揺動と振動、ＢＧＭプレーヤー３０、ささやきプレーヤー３１および芳香ファン６１が停止し、表示器ＤＳＰの「連動第２プログラム」表示が消える。
【０２０５】
たとえば、揺動・振動稼働時間ｔ９に９０分が設定され、ＢＧＭ稼働時間ｔ１０に８０分が設定されている場合、ＢＧＭプレーヤー３０は、揺動・振動稼働時間ｔ９に設定されている９０分を経過すると停止する。また揺動・振動稼働時間ｔ９に９０分が設定され、ＢＧＭ稼働時間ｔ１０に「０００」が設定されている場合、連動キーＳ３を押してから第２プログラムキーＳ２を押すと、ＢＧＭプレーヤー３０は稼働を始めて、ＢＧＭが流れる。そして、ＢＧＭプレーヤー３０は、揺動・振動稼働時間ｔ９に設定されている９０分が経過すると停止する。
【０２０６】
〔単数スタートの場合〕
１．ベッド床Ｂを揺動・振動させるとき
(1) 揺動・振動スタートキーＳ４を押すと、ベッド床Ｂが揺動回数ｋ１の揺動と、設定された振動周波数の振動を始め、また表示器ＤＳＰに「揺動・振動」が表示される。これにより、使用者Ｍが睡眠に入るのを促進するための睡眠促進動作が行われる。
【０２０７】
(2) そして、揺動・振動スタートキーＳ４を押したときから、揺動・振動稼働時間ｔ１が経過すると、ベッド床Ｂの揺動と振動が停止し、また表示器ＤＳＰの「揺動・振動」表示が消える。
【０２０８】
なお、揺動・振動稼働時間ｔ１の設定が「０００」のときは、前記(1) の表示器ＤＳＰに「連続揺動・振動」が表示される。つぎに、揺動・振動停止キーＳ５を押すと、ベッド床Ｂの揺動と振動が停止し、また表示器ＤＳＰの「連続揺動・振動」表示が消える。
【０２０９】
２．ＢＧＭを流すとき
(1) ＢＧＭスタートキーＳ６を押すと、ＢＧＭプレーヤー３０が稼働を始めてＢＧＭが流れ、また表示器ＤＳＰに「ＢＧＭ」が表示される。これにより、使用者Ｍが睡眠に入るのを促進するための睡眠促進動作が行われる。
【０２１０】
(2) そして、ＢＧＭスタートキーＳ６を押したときから、ＢＧＭ稼働時間ｔ２が経過すると、ＢＧＭプレーヤー３０が停止し、また表示器ＤＳＰの「ＢＧＭ」表示が消える。
【０２１１】
なお、ＢＧＭ稼働時間ｔ２の設定が「０００」のときは、前記(1) の表示器ＤＳＰに「連続ＢＧＭ」が表示される。つぎに、ＢＧＭ停止キーＳ７を押すと、ＢＧＭプレーヤー３０が停止し、また表示器ＤＳＰの「連続ＢＧＭ」表示が消える。
【０２１２】
３．「ささやき」を流すとき
(1) ささやきスタートキーＳ８を押すと、ささやきプレーヤー３１が稼働を始めて「ささやき」が流れ、また表示器ＤＳＰに「ささやき」が表示される。これにより、使用者Ｍが睡眠に入るのを促進するための睡眠促進動作が行われる。
【０２１３】
(2) そして、ささやきスタートキーＳ８を押したときから、ささやき稼働時間ｔ３が経過すると、ささやきプレーヤ３１が停止し、また表示器ＤＳＰの「ささやき」表示が消える。
【０２１４】
なお、ささやき稼働時間ｔ３の設定が「０００」のときは、前記(1) の表示器ＤＳＰに「連続ささやき」が表示される。つぎに、ささやき停止キーＳ９を押すと、ささやきプレーヤー３０が停止し、また表示器ＤＳＰの「連続ささやき」表示が消える。
【０２１５】
４．芳香を薫らせるとき
(1) 芳香スタートキーＳ１０を押すと、芳香ファン６１が稼働を始めて芳香剤の揮発性成分の拡散が始まり、また表示器ＤＳＰに「芳香」が表示される。これにより、使用者Ｍが睡眠に入るのを促進するための睡眠促進動作が行われる。
【０２１６】
(2) そして、芳香スタートキーＳ１０を押したときから、芳香ファン稼働時間ｔ４が経過すると、芳香ファン６１が停止し、また表示器ＤＳＰの「芳香」表示が消える。
【０２１７】
なお、芳香ファン稼働時間ｔ４の設定が「０００」のときは、前記(1) の表示器ＤＳＰに「連続芳香」が表示される。つぎに、芳香停止キーＳ１１を押すと、芳香ファン６１が停止し、また表示器ＤＳＰの「連続芳香」表示が消える。
【０２１８】
５．足温コタツを入りにするとき
足温コタツ「入」キーＳ１２を押すと、足温コタツＨＥへの通電が始まり、また表示器ＤＳＰに「足温コタツ」が表示される。これにより、使用者Ｍが睡眠に入るのを促進するための睡眠促進動作が行われる。
【０２１９】
足温コタツ「切」キーＳ１３を押すと、足温コタツＨＥへの通電が停止し、また表示器ＤＳＰの「足温コタツ」表示が消える。
【０２２０】
なお、足温コタツ「入」キーＳ１２および足温コタツ「切」キーＳ１３は他のキーＳ１〜Ｓ１１の操作に関係なく、足温コタツＨＥへの通電と通電停止を行うことができる。
【０２２１】
〔単数スタートで、複数のものが稼働している状態にする場合〕
揺動・振動スタートキーＳ４、ＢＧＭスタートキーＳ６、ささやきスタートキーＳ８、芳香スタートキーＳ１０は、それらの複数を押して  それらの複数が稼働している状態にすることができる。たとえば、揺動・振動スタートキーＳ４とＢＧＭスタートキーＳ６とを押すと、ベッド床Ｂが揺動、振動し、ＢＧＭプレーヤー３０が稼働してＢＧＭが流れる状態にすることができる。これにより、使用者Ｍが睡眠に入るのを促進するための睡眠促進動作が行われる。
【０２２２】
〔目覚まし動作を行う場合〕
(1) 時キーＳ２５を押す。これにより、目覚まし時刻記憶手段Ｋ４が現在記憶している目覚まし時刻ｋ４が表示器ＤＳＰに表示される。たとえば、現在記憶している目覚まし時刻ｋ４が午前６時００の場合は、表示器ＤＳＰに「目覚時刻０６：００」が表示される。      
【０２２３】
(2) つぎに、希望する目覚まし時刻が前記(1) で表示器ＤＳＰに表示された時刻と同じときは、目覚まし「入」キーＳ２４を押す。これにより、前記(1) で表示器ＤＳＰに表示された時刻が、目覚まし時刻として設定される。たとえば、前記(1) で表示器ＤＳＰに表示された「目覚ま時刻０６：００」が目覚まし時刻として設定される。
【０２２４】
(3) 前記(2) において、希望する目覚まし時刻が前記(1) で表示器ＤＳＰに表示された時刻と相違するときは、前述の「７．目覚まし時刻記憶手段Ｋ４に目覚まし時刻ｋ４を記憶させる手順」で希望する目覚まし時刻を表示器ＤＳＰに表示させてから、目覚まし「入」キーＳ２４を押す。これにより、目覚まし「入」キーＳ２４を押す直前に表示器ＤＳＰに表示された時刻が目覚まし時刻として設定される。
【０２２５】
(4) 前記(2) または(3) で目覚まし「入」キーが押されて目覚まし時刻が設定されると、その設定された目覚まし時刻が表示器ＤＳＰに表示され続ける。
【０２２６】
(5) そして、時計手段ＣＬが出力する現在時刻が、設定された目覚まし時刻になると、ブレーキモータ１５、振動モータ９２が駆動を始めてベッド床Ｂが揺動、振動を始めると共にＢＧＭプレーヤー３０が稼働を始めてＢＧＭが流れる目覚まし動作が行われる。この目覚まし動作のときの、ベッド床Ｂの揺動速度は、通常、睡眠促進動作のときよりも速い速度に設定され、またベッド床Ｂの後側受部ＳＲの振動周波数は、通常、睡眠促進動作のときよりも多い周波数に設定される。たとえば、睡眠促進動作時のベッド床Ｂの揺動速度は１０回／分であるのに対し目覚まし動作時のベッド床Ｂの揺動速度は２０回／分のように設定され、また睡眠促進動作時のベッド床Ｂの後側受部ＳＲの振動周波数は約９Ｈｚであるのに対し目覚まし動作時のベッド床Ｂの振動周波数は約２６Ｈｚのように設定される。
【０２２７】
(6) 前記目覚まし動作により、睡眠から目覚めた使用者Ｍ、または、使用者Ｍの目覚めを確認した第３者、たとえば介護者は揺動・振動停止キーＳ５を押して目覚まし動作を停止させる。これにより、表示器ＤＳＰに表示された目覚まし時刻が消える。
【０２２８】
つぎに、本発明にかかる睡眠促進用ベッドを使用する手順について説明する。
【０２２９】
使用者Ｍは、ベッド床Ｂ上に仰臥する前に下記の操作を順に行う。
【０２３０】
(1) 前記枕ユニットＰ内に予め冷やしてある冷却マット４６を挿入して、頭部Ｈを冷やせる状態に整える。
【０２３１】
(2) 枕ユニットＰの上部の投入口４２に、セラピー香料などの揮発性のある芳香剤６０を差し入れる。
【０２３２】
(3) つぎに、就寝する前に、リモコン３２を操作して、空床の状態で、ベッド床Ｂの揺動回数、揺動速度、揺動角度を自分の目安となる値に調整する。
【０２３３】
(4) つぎに使用者Ｍは、ベッド床Ｂ上への乗降を繰り返してベッド床Ｂの揺動回数、揺動速度、揺動角度を最適な値に調整する。
【０２３４】
このような調整は最初は手間取るが、一度最適値を設定すれば、その後は大幅な調整はしないで済む。
【０２３５】
(5) 以上の調整が済んだら、使用者Ｍは、図１に示すように、ベッド床Ｂ上に仰臥して、毛布ＢＬを掛け、リモコンスイッチ３２にて、揺動・振動稼働時間（たとえば９０分あるいは１２０分）を設定したのち、たとえば第１プログラムキーＳ１押すと、ベッド床Ｂは、前記設定値に基づきゆるやかな揺動と振動を繰り返す。
【０２３６】
なお、目覚まし動作を行わせる場合は、前述の「目覚まし動作を行う場合」に記載の操作を行って目覚まし時刻を設定してから、たとえば、第１プログラムキーＳ１を押す。
【０２３７】
ところで、この第１実施例によれば、ベッド床Ｂの揺動中心軸線Ｌ１−Ｌ１は、使用者Ｍの頭部Ｈを上下方向に通過しているので、使用者Ｍの頭部Ｈは上下および左右方向の揺動は殆どない受けない状態で、ベッド床Ｂは左右に揺れて身体も揺らいだ状態となり、しかも、ベッド床Ｂは揺動と同時にその後側受部ＳＲ（使用者Ｍの脚部Ｌｅを受ける）が上下方向に振動を繰り返し、その振動はベッド床Ｂの前側受部ＳＦ（使用者Ｍの頭部Ｈおよび胴部Ｔを受ける）への波及が極力抑えられているので、使用者Ｍの頭部Ｈは、前記振動を殆どうけることなく、脚部Ｌｅに振動刺激が与えられる。したがって、使用者Ｍは、前記揺動と振動との相乗効果により、短時間のうちに心地よい睡眠を促すことができる。
【０２３８】
図５には、ベッド床Ｂの揺動態様の具体例が示される。この具体例によれば、ベッド床Ｂの揺動中心軸線Ｌ１−Ｌ１は、使用者Ｍの頭部Ｈの中心Ｈｃを上下方向に通過しており、ローラ３９，３９が、ベッド床Ｂの前後方向の中心軸線Ｌ２−Ｌ２から左右へそれぞれ約２５ｍｍ（合計約５０ｍｍ）ずつ平面視扇形状に動くようになっており、したがって、使用者Ｍの踵では、前後方向の中心軸線Ｌ２−Ｌ２から左右へそれぞれ約２０ｍｍ（合計約４０ｍｍ）ずつ動くようになっている。
【０２３９】
ベッド床Ｂの前記揺動と同時にベッド床Ｂの後側受部ＳＲが上下方向に振動を繰り返して使用者Ｍの脚部Ｌｅに心地良い振動が与えられ、この振動は、前側受部ＳＦへ波及することが極力抑えられていることに加え、後側受部ＳＲ上の使用者Ｍの脚部Ｌｅに作用する振動が、使用者Ｍの身体を通して頭部Ｈへ伝わることも殆どない（脚部Ｌｅに加わる振動は、骨盤のところで遮断されて背骨に伝わることは殆どない）。したがって、床ベッドＢ上の使用者Ｍの頭部Ｈには、前記揺動および振動に及ぶことが可及的に抑制される。
【０２４０】
就寝の準備を整えた使用者Ｍは、ベッド床Ｂ上に仰臥して、その身体（頭部Ｈを除く）に心地よい揺動および振動を与えられ、頭部Ｈを枕ユニットＰの冷却マット４６で冷しながら、ＢＧＭ発生手段ＭＵのスピーカー６３から流れる自分の好みにあった軽いメロディーを聞きながら、芳香発生手段ＳＭから発生している芳香を嗅ぎ、その耳元に、暗示トーク発生手段、すなわち「やすらぎ・ささやき」発生手段により、使用者Ｍの嬉しかった事や甘い思い出や、本人の得意なスポーツや趣味などを、事前のアンケート調査により、選択した事例のエッセンスを優しくまとめ、男性の場合は女性、女性の場合は男性と、お互いに異性の方の熟練者のトークを効果的にささやくように編集されたテープにて、スピーカー６５から流し、特に本人をうぬぼれさせるような、たとえば、“貴方は美男子だから、若い女性にもてることでしょう”など気持ちが高揚し楽しくなるトークがささやかれれば、一時のストレスの解消に大いに役立ち、睡眠を促すことができる。
【０２４１】
そして、使用者Ｍは、自分に最も適した揺動幅、揺動回数を選択し、適度な振動をうけながら好みの芳香を嗅ぎ、聞き慣れたＢＧＭと、時々嬉しい“よいしょ”するようなささやきを聞くようにすれば、一層短時間のうちに入眠状態に入ることが可能になる。
【０２４２】
また、冬期や寒冷時のように気温の低い時（１５°以下）には、足温手段ＨＥにより脚部を温めるようにし、また春期、秋期など気温の高い時（１５°以上）には、たとえば、前述したように携帯式のカイロを貼り付けたソックスなどの簡易式の足温手段により足をを温めるようにする。
【０２４３】
なお、使用者Ｍが足を温めることは、血液の流れを盛んにして睡眠を促進するのにきわめて有効であることが実験結果で明らかになっている。
【０２４４】
目覚まし時刻が設定されたときは、時計手段ＣＬの出力する現在時刻が、目覚まし時刻と一致すると、目覚まし動作が行われる。
【０２４５】
なお、目覚まし動作時のベッド床Ｂの揺動速度は、１つの値に固定されていてもよいし、リモコン３２で使用者Ｍが希望するベッド床Ｂの揺動速度に設定することができるようにしてもよいし、睡眠促進動作時のベッド床Ｂの揺動速度で揺動を始めてから徐々に増速するようにしてもよい。
【０２４６】
図１９に示すように、ベッドフレームＦに設けられる前記制御盤１０には、ＡＣ１００Ｖ電源に接続される元スイッチ８１、足温手段（足温コタツ）用コンセント８０が結線され、その入力側には、リモコン３２が結線され、その出力側には、ＢＧＭスピーカー６３，暗示トーク用スピーカー６５、芳香ファン６１、ＢＧＭプレーヤー３０、暗示トークプレーヤー３１、ブレーキモータ（揺動モータ）１５、振動モータ９２、水平検出センサー（近接スイッチ）２６，足温ヒータ７５がそれぞれ結線される。
【０２４７】
つぎに、図２０を参照して、本発明の第２実施例について説明する。
【０２４８】
図２０は、第２実施例にかかる前記図６に対応した図であり、前記第１実施例と同じ要素には同じ符号が付される。
【０２４９】
この第２実施例は、ベッド床Ｂを支持フレームＳ上に支持するレール案内支持手段ＳＬの構成が前記第１の実施例と異なっている。すなわち前記案内支持手段ＳＬの案内レール１３８は、図２０に示すように、ベッド床Ｂの前後方向の中心軸線Ｌ２−Ｌ２に存する谷Ｖよりベッド床Ｂの左右方向外側に向かって緩やかな上り勾配に傾斜する左右案内レール１３８Ｌ，１３８Ｒより構成されている。そして、左右案内レール１３８Ｌ，１３８Ｒ上には、ベッド床Ｂの下面にブラケット４０，４０を介して支持される左右一対のローラ３９，３９がそれぞれ転動自在に載せられている。したがって、揺動駆動手段Ｄの稼働により、ベッド床Ｂが上下方向の揺動中心軸線Ｌ１−Ｌ１まわりに左右に揺動駆動されるとき、該ベッド床Ｂは自動調心軸受１２の中心、すなわち揺動中心Ｃまわりにも上下方向にシーソー状に傾動し、この傾動により、一対のローラ３９，３９が左右案内レール１３８Ｌ，１３８Ｒ上を転動し、その結果、ベッド床Ｂは、該左右案内レール１３８Ｌ，１３８Ｒに案内されて、その左右の両端が反対方向の昇降運動を伴いながら左右方向に揺動することになる。
【０２５０】
したがって、第２実施例のものでは、ベッド床Ｂ上の使用者Ｍは、大切な頭部Ｈが、水平状態を保ちながら、その脚部Ｌｅは、前記左右案内レール１３８Ｌ，１３８Ｒの案内軌跡に沿って緩やかなシーソー状の上下方向の傾動を伴いながら左右方向に揺動されることになり、快適な睡眠が一層促進される。
【０２５１】
以上、本発明の実施例について説明したが、本発明はその実施例に限定されることなく、本発明の範囲内で種々の実施例が可能である。
【図面の簡単な説明】
【０２５２】
【図１】睡眠促進用ベッドの一部破断全体側面図
【図２】睡眠促進用ベッドを上下に傾斜した場合の一部破断全体側面図
【図３】睡眠促進用ベッドの一部破断全体斜視図
【図４】ベッド床の分解斜視図
【図５】図１の５矢視の睡眠促進用ベッドの一部破断平面図
【図６】図１の６−６線に沿う睡眠促進用ベッドの一部破断前端面図
【図７】図１の７−７線に沿う睡眠促進用ベッドの一部破断後端面図
【図８】図１の８−８線に沿う拡大断面図
【図９】図１の９矢視仮想線囲い部分の拡大図
【図１０】図９の１０−１０線に沿う断面図
【図１１】図８の１１矢視仮想線囲い部分の拡大図
【図１２】図１１の１２−１２線に沿う断面図
【図１３】図１の１３矢視拡大図
【図１４】図１３の１４−１４線に沿う断面図
【図１５】図１４の１５矢視図
【図１６】図１の１６矢視拡大図
【図１７】図１６の１７−１７線に沿う断面図
【図１８】リモコンスイッチの正面図
【図１９】睡眠促進用ベッドの駆動制御の結線説明図
【図２０】本発明の第２実施例に係る図７対応図
【符号の説明】
【０２５３】
１１・・・・・床フレーム（揺動フレーム）
１５・・・・・水平位置固定手段（ブレーキモータ）
２６・・・・・水平位置検出手段（近接スイッチ）
３２・・・・・リモコンスイッチ
３３ａ・・・・底部弾褥体
３３ｂ・・・・中間部弾褥体
３３ｃ・・・・上部弾褥体
９０・・・・・振動部材
９１・・・・・緩衝材（コイルスプリング）
１３８Ｌ・・・左案内レール
１３８Ｒ・・・右案内レール
Ａ・・・・・・揺動幅調整装置
Ｃ・・・・・・揺動中心点
Ｓ・・・・・・支持フレーム
Ｄ・・・・・・揺動駆動手段
Ｂ・・・・・・ベッド床
ＳＦ・・・・・前側受部（ベッド床Ｂの）
ＳＲ・・・・・後側受部（ベッド床Ｂの）
ｄ・・・・・・緩衝間隙
Ｆ・・・・・・ベッドフレーム
Ｍ・・・・・・使用者
Ｈ・・・・・・頭部
Ｔ・・・・・・胴部
Ｌｅ・・・・・脚部
Ｖ・・・・・・谷
ＳＭ・・・・・芳香発生手段
ＭＵ・・・・・ＢＧＭ発生手段
Ｖａ・・・・・振動発生手段
ＷＩ・・・・・暗示トーク発生手段
Ｌ１−Ｌ１・・ベッド床の上下方向の揺動中心軸線
Ｌ２−Ｌ２・・ベッド床の前後方向の中心軸線
Ｓ１４，Ｓ１５，Ｓ２３，Ｓ２５，Ｓ２６，ＤＳＰ・・・・目覚まし時刻設定手段
ＢＧＭ・・・・目覚まし音発生手段                          
【図１】
2007037832.tif 000003
【図２】
2007037832.tif 000004
【図３】
2007037832.tif 000005
【図４】
2007037832.tif 000006
【図５】
2007037832.tif 000007
【図６】
2007037832.tif 000008
【図７】
2007037832.tif 000009
【図８】
2007037832.tif 000010
【図９】
2007037832.tif 000011
【図１０】
2007037832.tif 000012
【図１１】
2007037832.tif 000013
【図１２】
2007037832.tif 000014
【図１３】
2007037832.tif 000015
【図１４】
2007037832.tif 000016
【図１５】
2007037832.tif 000017
【図１６】
2007037832.tif 000018
【図１７】
2007037832.tif 000019
【図１８】
2007037832.tif 000020
【図１９】
2007037832.tif 000021
【図２０】
2007037832.tif 000022